(57)【要約】      （修正有）【課題】折り曲げ部が少なく容易に組み立てが可能で、ケーキ等菓子を持ち運ぶ際の上下振動時にケーキ等菓子が転倒及び変形するのを防止するための包装用緩衝材と容器トレーを提供する。【解決手段】一枚の厚紙を側面板２ａ〜２ｄ，３ａ〜３ｄを折り目５ａ〜５ｊに対して内向きＷ字に織り込み、折り目５ｃ，５ｄを介して底面板４ａと４ｂが重なり合うように折り込み、差し込み片６ａを差し込みスリット７に挿入し筒状とすることで、組み立てが容易で、折り目５ａ〜５ｊの弾性により上下に伸縮可能なケーキ等菓子を収納するための箱内配置用緩衝材とする。さらに、ツメ９、舌片１７を有し、ケーキ等被包装物の横揺れ、横滑り、上方への飛び出しを防止する容器トレーを包装用緩衝材にセットする。【選択図】図４
0003206910.tif 000002
【実用新案登録請求の範囲】
【請求項１】
上面板と、左右の側面板と、底面板とを備えた筒形をなし、両側面板が３つの折り目を介して内側にＷ字形に折り込まれていることを特徴とする包装用緩衝材。
【請求項２】
厚紙で形成されており、展開すると１枚でできていることを特徴とする請求項１に記載の包装用緩衝材。
【請求項３】
一方の底面板に設けられた差し込み片が、もう一方の底面板に設けられた差し込みスリットに差し込まれることで、筒形状に接続されていることを特徴とする請求項１又は２に記載の包装用緩衝材。
【請求項４】
箱内に収納される包装用緩衝材の上に設置し、収納する被包装物の一部に覆いかぶさるように折り目を設けた舌片を有することを特徴とする請求項１〜３に記載の包装用緩衝材。
【請求項５】
包装用緩衝材の上に設置した舌片を有する容器トレーの片方の短編に保冷剤を入れるための収納スペースが設けられていることを特徴とする請求項１〜４に記載の包装用緩衝材。
【考案の詳細な説明】
【技術分野】
【０００１】  本考案は、被包装物を箱に収容する際に、被包装物と共に箱内に装填され、落下などによる衝撃を吸収して、箱内で被包装物の転倒及び変形を防止する為の緩衝材に関する。
【背景技術】
【０００２】  現在、被包装物を箱に直接置いて収納し、運搬できるようにしている。その際、顧客は、箱を水平に保ち、かつ被包装物に振動を与えないように運搬しなければ、箱に収納されている被包装物が箱内で上下振動し、転倒及び変形してしまう欠点があった。【０００３】  現在、被包装物を箱に収納する際に、運搬中に被包装物が壊れたり、変形したりしないように厚紙を丸めたもので箱内の被包装物と被包装物の隙間を埋めている。しかし、結局運搬中に被包装物は上下左右に動き、壊れたり、変形したりすることを防止できていない。
【考案の概要】
【考案が解決しようとする課題】
【０００４】  被包装物を運搬する際の上下振動による転倒及び変形を防止する。【０００５】  包装用緩衝材を箱の底に敷くことにより、販売店の顧客が、店頭で見たままの商品の形状で目的地まで運搬できるようにすることが目的である。
【課題を解決するための手段】
【０００６】  上記目的のために、本考案の第１は、上面板と、左右の側面板と、底面板とを備えた筒形をなし、両側面板に設けた３つの折り目を介して内側にＷ字形に折り込まれていることを特徴とする包装用緩衝材を提供するものである。【０００７】  上記本考案の第２は、厚紙で形成されており、展開すると１枚でできていることを特徴とする包装用緩衝材を提供するものである。【０００８】  上記本考案の第３は、一方の底面板に設けられた差し込み片が、もう一方の底面板に設けられた差し込みスリットに差し込まれることで、筒形状に接続されていることを特徴とする包装用緩衝材を提供するものである。【０００９】    上記本考案の第４は、箱内に収納される包装用緩衝材の上に設置し、収納する被包装物の一部に覆いかぶさるように折り目を設けた舌片を有することを特徴とする包装用緩衝材を提供するものである。【００１０】  上記本考案の第５は、包装用緩衝材の上に設置した舌片を有する容器トレーの片方の短編に保冷剤を入れるための収納スペースが設けられていることを特徴とする包装用緩衝材を提供するものである。
【考案の効果】
【００１１】  以上説明した通りのものであり、側面板が弾性的に伸縮して緩衝効果をもたらすものであることから、衝撃を受けた場合に、一時的に縮んで衝撃を吸収するが、直ちに復帰して再度被包装物を保持するので、被包装物を転倒及び変形させてしまうことがない。したがって、被包装物の優れた保護効果を得ることができる。特に、包装用緩衝材の組み立てに必要な接続を、差し込み片を差し込みスリットへの差し込みにより行うと、展開状態で場所も取らずに保管することができる。
【図面の簡単な説明】
【００１２】
【図１】本考案の包装用緩衝材の斜め前方向からの斜視図である。
【図２】本考案の包装用緩衝材の断面図である。
【図３】本考案の包装用緩衝材の展開図である。
【図４】本考案の包装用緩衝材の上に容器トレーを設置する途中を示す斜面図である。
【図５】本考案の包装用緩衝材の上に設置する容器トレーの展開図である。
【図６】本考案の包装用緩衝材の上に容器トレーを設置した場合の断面図である。（正面）
【図７】本考案の包装用緩衝材の上に容器トレーを設置した場合の断面図である。（側面）
【考案を実施するための形態】
【００１３】  図１〜図７に基づいて、本考案に係る包装用緩衝材と容器トレーについて説明する。
【００１４】  図１〜図２に示されるように、本考案の包装用緩衝材は、上面板１と、左右の側面板２ａ〜２ｄ，３ａ〜３ｄと、底面板４ａ，４ｂとを備えた筒形をなしている。具体的には、上面板１の左右に側面板２ａ〜２ｄ，３ａ〜３ｄが折り目５ａ〜５ｊを介して連なり、側面板２ａ〜２ｄ，３ａ〜３ｄの端部には、折り目５ａ〜５ｊを介して底面板４ａ，４ｂが連なっている。
【００１５】  上記上面板１と側面板２ａ〜２ｄ，３ａ〜３ｄと底面板４ａ，４ｂは、図３において、折り目５ａ，５ｂを介して側面板２ａ，３ａを下方に折り曲げ、更に折り目５ｅ，５ｆを外向きに折り曲げ、５ｇ，５ｈを内向きに折り曲げ、５ｉ，５ｊを外向きに折り曲げ、５ｃ，５ｄを介して、底面板４ａ，４ｂをお互い重なり合う方向に折り曲げることで、全体として角筒を形成するものである。底面板４ａ，４ｂは、４ａが４ｂの外側になるよう相互に重ねられ、４ｂに設けられた差し込み片６ｂ，６ｃを内側に折り、差し込み片６ａ〜６ｃを、４ａに設けられた差し込みスリット７に差し込むことで連結されて一連の底面板を形成するものとなっている。
【００１６】  図３に示すように、一枚の厚紙でできており、安価で軽く、組み立ても簡単に行うことができる。従来の様に、何か所もの箱の隙間を埋めるために厚紙を丸めてテープ等で固定するなどの手間が省け、箱詰めする時間が短縮できる。
【００１７】  図２に示すように、両側側面板に設けた、側面板２ａ〜２ｄ，３ａ〜３ｄを横断する折り目５ｅ〜５ｊが設けられており、側面板２ａ〜２ｄ，３ａ〜３ｄは、この折り目５ｅ〜５ｊを介して内側Ｗ字に折り込まれている。このＷ字形に折り込まれた各側面板２ａ〜２ｄ，３ａ〜３ｄは、折り目５ｆ，５ｈ，５ｊと折り目５ｅ，５ｇ，５ｉの屈曲弾性により、上下に伸縮可能なものとなっている。
【００１８】  図４〜５に示すように、本考案の容器トレーは、一枚の厚紙を折って形成されており、折り目８を下方向に折り曲げ、折り目１１ａを上方に折り、更に折り目１２〜１４を内向きに折り曲げ、折り目１１ｂに沿って下向きに折り曲げることでできる差し込み片１１ｃを差し込みスリット１５に差し込む。またツメ９を上方に折り、舌片１７に設けられた折り目１０ａを上方に折り、１０ｂ，１０ｃを内向きに折り曲げる。このようなツメ又は舌片が４か所同じように設けられている。１６を下方に折り曲げ、保冷剤等を入れることができるスペースを作る。最後に、差し込み片１１ｃを包装用緩衝材に設けられた差し込みスリット２３に差し込んで組み合わせる。
【００１９】  例えば、ケーキ箱に使用する場合は、図６〜７に示すように、ケーキ箱に包装用緩衝材と容器トレーをセットして使用する。
【００２０】  図６〜７に示すように、被包装物を容器トレーのツメ９と舌片１７に囲まれた部分に設置すると、横揺れ、横滑り等を防止して被包装物が損傷することを防ぐ。また、上下に振動しても舌片１７に引っかかり被包装物が上方向に飛び出て損傷することを防ぐ。
【符号の説明】
【００２１】１                      上面板
２ａ〜２ｄ，３ａ〜３ｄ  側面版
４ａ                    差し込まれる側底面板
４ｂ                    差し込む側底面板
５ａ〜５ｊ              折り目
６ａ〜６ｃ              差し込み片
７                      差し込みスリット
８                      折り目
９                      ツメ
１０ａ〜１０ｃ          折り目
１１ａ                  折り目
１１ｂ                  折り目
１１ｃ                  差し込み片
１２〜１４              折り目
１５                    差し込みスリット
１６                    折り目
１７                    舌片
１８                    冷却穴
１９                    被包装物（ケーキ）
２０                    保冷剤
２１                    ケーキ箱側面
２２                    ケーキ箱底面
２３                    差し込みスリット
【図１】
0003206910.tif 000003
【図２】
0003206910.tif 000004
【図３】
0003206910.tif 000005
【図４】
0003206910.tif 000006
【図５】
0003206910.tif 000007
【図６】
0003206910.tif 000008
【図７】
0003206910.tif 000009